(57)【要約】【課題】携帯端末装置のユーザが宛先をより簡単に指定することができるようにした情報配信システムを提供することを目的としている。【解決手段】携帯端末の電話帳機能を利用して宛先情報を入力するようにしているので、携帯端末のユーザが送信宛先等を入力する場合の操作が非常に円滑になるという効果を得る。【選択図】          図１
2004236031.tif 000002
【特許請求の範囲】
【請求項１】
ネットワーク上にユーザ別に閲覧ファイルを保存する文書サーバを設け、携帯端末装置より、上記文書サーバに対して保存文書の閲覧、指定文書のファクシミリ送信、または、指定文書の転送を指示できるようにした情報配信システムにおいて、
上記携帯端末装置は、宛先名称に宛先情報を登録し、宛先名称から宛先情報を検索して発呼に使用する電話帳機能を備え、
上記携帯端末装置は、上記文書サーバに対して指定文書のファクシミリ送信、または、指定文書の転送を指示する際、上記電話帳機能を用いて上記宛先情報を取得し、その取得した宛先情報を、指定文書のファクシミリ送信、または、指定文書の転送の宛先として、上記文書サーバへ通知するようにしたことを特徴とする情報配信システム。
【請求項２】
ネットワーク上にユーザ別に閲覧ファイルを保存する文書サーバを設け、携帯端末装置より、上記文書サーバに対して保存文書の閲覧、指定文書のファクシミリ送信、または、指定文書の転送を指示できるようにした情報配信システムにおいて、
上記携帯端末装置は、宛先名称に宛先情報を登録し、宛先名称から宛先情報を検索して発呼に使用する電話帳機能を備え、
上記携帯端末装置は、上記文書サーバに対して指定文書のファクシミリ送信、または、指定文書の転送を指示する際、上記電話帳機能を用いて上記宛先情報を取得し、その取得した宛先情報と宛先名称を、指定文書のファクシミリ送信、または、指定文書の転送の宛先として、上記文書サーバへ通知するようにしたことを特徴とする情報配信システム。
【請求項３】
前記文書サーバは、前記携帯端末装置より宛先名称および宛先情報を受信すると、前記指定文書のファクシミリ送信、または、指定文書の転送時に、受信した上記宛先名称を用いて適宜な付加情報を作成することを特徴とする請求項２記載の情報配信システム。
【請求項４】
前記文書サーバは、前記携帯端末装置より宛先名称および宛先情報を受信すると、所定の通信管理情報に、その宛先名称を含めて登録することを特徴とする請求項２または請求項３記載の情報配信システム。
【発明の詳細な説明】
【０００１】
【発明の属する技術分野】
本発明は、ネットワーク上にユーザ別に閲覧ファイルを保存する文書サーバを設け、携帯端末装置より、上記文書サーバに対して保存文書の閲覧、指定文書のファクシミリ送信、または、指定文書の転送を指示できるようにした情報配信システムに関する。
【０００２】
【従来の技術】
近年、ネットワーク上にユーザ別に閲覧ファイルを保存する文書サーバを設け、携帯端末装置（移動体通信端末装置）より、上記文書サーバに対して保存文書の閲覧、指定文書のファクシミリ送信、または、指定文書の転送を指示できるようにした情報配信システムが提案されている。
【０００３】
このような情報配信システムでは、例えば、ファクシミリ装置で受信した文書を携帯端末装置へ電子メールで送信できるように、文書サーバでメール配信可能なデータに加工するもの（特許文献１参照）、携帯端末装置より、電子メールの添付ファイルを確認できるようにファクシミリ装置で記録出力させるもの（特許文献２参照）、携帯端末装置に送られた添付ファイル付きの電子メールの内容をファクシミリ装置で記録出力させるもの（特許文献３参照）、インターネットアクセスで入力するファクシミリ宛先の誤配信を防止するためサーバーに登録されている番号との一致を確認するもの（特許文献４参照）、各アクセスユーザ毎の情報を保持してユーザの携帯端末装置ごとにデータを加工して送信するもの（特許文献５参照）などが提案されている。
【０００４】
【特許文献１】
特開２００１−２４３１２８号公報
【特許文献２】
特開２００１−３０６４６９号公報
【特許文献３】
特開２００１−３５８７５４号公報
【特許文献４】
特開２００２−１６７２４号公報
【特許文献５】
特開２００２−４１４０４号公報
【０００５】
【発明が解決しようとする課題】
ところで、このような情報配信システムでは、携帯端末装置より文書サーバに送信宛先等を指定する場合、文書サーバの送信手段（例えば、ファクシミリ装置等）に用意されている宛先情報を参照して行うようにしており、携帯端末装置のユーザが宛先を指定する場合に、不便であった。
【０００６】
本発明は、かかる実情に鑑みてなされたものであり、携帯端末装置のユーザが宛先をより簡単に指定することができるようにした情報配信システムを提供することを目的としている。
【０００７】
【課題を解決するための手段】
本発明は、ネットワーク上にユーザ別に閲覧ファイルを保存する文書サーバを設け、携帯端末装置より、上記文書サーバに対して保存文書の閲覧、指定文書のファクシミリ送信、または、指定文書の転送を指示できるようにした情報配信システムにおいて、上記携帯端末装置は、宛先名称に宛先情報を登録し、宛先名称から宛先情報を検索して発呼に使用する電話帳機能を備え、上記携帯端末装置は、上記文書サーバに対して指定文書のファクシミリ送信、または、指定文書の転送を指示する際、上記電話帳機能を用いて上記宛先情報を取得し、その取得した宛先情報を、指定文書のファクシミリ送信、または、指定文書の転送の宛先として、上記文書サーバへ通知するようにしたものである。
【０００８】
また、ネットワーク上にユーザ別に閲覧ファイルを保存する文書サーバを設け、携帯端末装置より、上記文書サーバに対して保存文書の閲覧、指定文書のファクシミリ送信、または、指定文書の転送を指示できるようにした情報配信システムにおいて、上記携帯端末装置は、宛先名称に宛先情報を登録し、宛先名称から宛先情報を検索して発呼に使用する電話帳機能を備え、上記携帯端末装置は、上記文書サーバに対して指定文書のファクシミリ送信、または、指定文書の転送を指示する際、上記電話帳機能を用いて上記宛先情報を取得し、その取得した宛先情報と宛先名称を、指定文書のファクシミリ送信、または、指定文書の転送の宛先として、上記文書サーバへ通知するようにしたものである。
【０００９】
また、前記文書サーバは、前記携帯端末装置より宛先名称および宛先情報を受信すると、前記指定文書のファクシミリ送信、または、指定文書の転送時に、受信した上記宛先名称を用いて適宜な付加情報を作成するようにしたものである。
【００１０】
また、前記文書サーバは、前記携帯端末装置より宛先名称および宛先情報を受信すると、所定の通信管理情報に、その宛先名称を含めて登録するようにしたものである。
【００１１】
【発明の実施の形態】
以下、添付図面を参照しながら、本発明の実施の形態を詳細に説明する。
【００１２】
図１は、本発明の一実施例にかかる情報配信システムの一例を示している。
【００１３】
この情報配信システムは、インターネットＩＮＥＴに接続される受付サーバ装置ＭＩＰ、イントラネットＩＮＴＲを構成する情報提供サーバ装置（文書サーバ）ＳＶおよびネットワークファクシミリ装置ＦＸ、受付サーバ装置ＭＩＰに接続して本情報配信システムが提供する各種サービスを要求する移動体通信端末装置（携帯端末装置）ＰＤＡ、および、移動体通信端末装置ＰＤＡと物理的に同じ領域ＡＲＴに設置されているグループ３ファクシミリ装置ＧＸから構成される。また、移動体通信基地局ＢＳＭは、移動体通信端末装置ＰＤＡをインターネットＩＮＥＴへ接続するためのものである。
【００１４】
ここで、移動体通信端末装置ＰＤＡは、いわゆる携帯電話やＰＨＳ端末等の電話端末を含み、少なくとも、ＨＴＴＰ（またはそれに準拠するプロトコル）手順処理およびＨＴＭＬ（またはそれに準拠する言語）処理が可能な機能を備え、また、ある程度の広さの表示画面に画像等を表示する表示機能を備えたものである。
【００１５】
また、イントラネットＩＮＴＲは、ローカルエリアネットワークＬＡＮを介して、ルータ装置ＲＴ、情報提供サーバ装置ＳＶおよびネットワークファクシミリ装置ＦＸを相互接続したものである。
【００１６】
また、ルータ装置ＲＴは、インターネットＩＮＥＴに接続し、ローカルエリアネットワークＬＡＮに接続されている情報提供サーバ装置ＳＶおよびネットワークファクシミリ装置ＦＸをインターネットＩＮＥＴへ接続する機能、および、イントラネットＩＮＴＲのセキュリティを確保するためのファイアフォール機能を備える。
【００１７】
ネットワークファクシミリ装置ＦＸは、アナログ公衆電話網ＰＳＴＮを介して他のグループ３ファクシミリ装置と相互に通信するとともに、電子メールを用いて、画情報をやりとりする機能を備えている。また、画情報の転送機能を備えており、その転送先は、アナログ公衆電話網ＰＳＴＮに接続されているグループ３ファクシミリ装置、および、電子メール宛先（メールアドレス）の双方を指定することができる。例えば、アナログ公衆電話網ＰＳＴＮを介して、グループ３ファクシミリ装置より受信した画情報を、指定された電子メールアドレスへ、電子メールを用いて転送する。あるいは、電子メールを用いて受信した画情報を、指定されたグループ３ファクシミリ装置へ、アナログ公衆電話網ＰＳＴＮを用いて発呼し、送信する。
【００１８】
情報提供サーバ装置ＳＶは、電子メールの収集配信を行うメールサーバ機能（電子メールの送信サーバおよび受信サーバ機能）、登録ユーザについて文書ファイルの保存を行う文書保存機能、受付サーバ装置ＭＩＰとの間で通信して、登録ユーザについて情報配信サービスを提供する情報配信サーバ機能等を備えている。
【００１９】
また、情報提供サーバ装置ＳＶは、電子メールを受信したとき、宛先のユーザに登録されているフォルダに電子メールを保存する。また、その電子メールがファクシミリ画情報を運ぶものである場合には、そのファクシミリ画情報を復元して、当該ユーザに登録されているフォルダへそのファクシミリ画情報を保存する。
【００２０】
ここで、情報提供サーバ装置ＳＶと受付サーバ装置ＭＩＰとの間の通信は、ルータ装置ＲＴのファイアウォール機能越しに行われる。例えば、そのための特定のポート番号の通信ポートが設定されたり、ＶＰＮが設定されて、イントラネットＩＮＴＲのセキュリティを確保できるようにしている。
【００２１】
図２は、受付サーバ装置ＭＩＰの構成例を示している。
【００２２】
同図において、ＣＰＵ（中央処理装置）１は、この受付サーバ装置ＭＩＰの動作制御を行うものであり、ＲＯＭ（リード・オンリ・メモリ）２は、ＣＰＵ１が起動時に実行するプログラムや必要なデータ等を記憶するためのものであり、ＲＡＭ（ランダム・アクセス・メモリ）３は、ＣＰＵ１のワークエリア等を構成するためのものである。
【００２３】
キャラクタジェネレータ４は、図形文字の表示データを発生するためのものであり、時計回路５は、現在日時情報を出力するためのものであり、媒体交換型記憶装置６は、交換型の記憶媒体を用いて、種々のデータを再生（または記録再生）するためのものである。
【００２４】
インターネットインターフェース回路７は、この受付サーバ装置ＭＩＰをインターネットに接続するためのものであり、インターネット伝送制御部８は、インターネットＩＮＥＴを介して、他のデータ端末装置との間で種々のデータをやりとりするための各種所定のプロトコルスイートの通信制御処理を実行するためのものである。
【００２５】
磁気ディスク装置９は、基本システムプログラム、種々のアプリケーションプログラム、ワークデータ、ファイルデータ、画情報データなどの種々のデータを記憶するためのものであり、ＣＲＴ画面表示装置１０は、この受付サーバ装置ＭＩＰを操作するための画面を表示するためのものであり、表示制御部１１は、ＣＲＴ画面表示装置１０の表示内容を制御するためのものである。
【００２６】
キーボード装置１２は、この受付サーバ装置ＭＩＰに種々のキー操作を行うためのものであり、画面指示装置１３は、ＣＲＴ画面表示装置１０の任意の座標を指示する等の操作作業を行うためのものであり、入力制御部１４は、キーボード装置１２および画面指示装置１３の入力情報を取り込む等するためのものである。
【００２７】
これらのＣＰＵ１、ＲＯＭ２、ＲＡＭ３、キャラクタジェネレータ４、時計回路５、媒体交換型記憶装置６、インターネット伝送制御部８、磁気ディスク装置９、表示制御部１１、および、入力制御部１４は、バス１５に接続されており、これらの各要素間のデータのやりとりは、主としてこのバス１５を介して行われる。
【００２８】
図３は、情報提供サーバ装置ＳＶの構成例を示している。
【００２９】
同図において、ＣＰＵ（中央処理装置）２１は、この情報提供サーバ装置ＳＶの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００３０】
キャラクタジェネレータ２４は、図形文字の表示データを発生するためのものであり、時計回路２５は、現在日時情報を出力するためのものであり、媒体交換型記憶装置２６は、交換型の記憶媒体を用いて、種々のデータを再生（または記録再生）するためのものである。
【００３１】
ローカルエリアネットワークインターフェース回路２７は、この情報提供サーバ装置ＳＶをローカルエリアネットワークＬＡＮに接続するためのものであり、ローカルエリアネットワーク伝送制御部２８は、ローカルエリアネットワークＬＡＮを介して、他のデータ端末装置との間で種々のデータをやりとりするための各種所定のプロトコルスイートの通信制御処理を実行するためのものである。
【００３２】
磁気ディスク装置２９は、基本システムプログラム、種々のアプリケーションプログラム、ワークデータ、ファイルデータ、画情報データなどの種々のデータを記憶するためのものであり、ＣＲＴ画面表示装置３０は、この情報提供サーバ装置ＳＶを操作するための画面を表示するためのものであり、表示制御部３１は、ＣＲＴ画面表示装置３０の表示内容を制御するためのものである。
【００３３】
キーボード装置３２は、この情報提供サーバ装置ＳＶに種々のキー操作を行うためのものであり、画面指示装置３３は、ＣＲＴ画面表示装置３０の任意の座標を指示する等の操作作業を行うためのものであり、入力制御部３４は、キーボード装置３２および画面指示装置３３の入力情報を取り込む等するためのものである。
【００３４】
これらのＣＰＵ２１、ＲＯＭ２２、ＲＡＭ２３、キャラクタジェネレータ２４、時計回路２５、媒体交換型記憶装置２６、ローカルエリアネットワーク伝送制御部２８、磁気ディスク装置２９、表示制御部３１、および、入力制御部３４は、バス３５に接続されており、これらの各要素間のデータのやりとりは、主としてこのバス３５を介して行われる。
【００３５】
図４は、ネットワークファクシミリ装置ＦＸの構成例を示している。
【００３６】
同図において、システム制御部４１は、このネットワークファクシミリ装置ＦＸの各部の制御処理、および、ファクシミリ伝送制御手順処理などの各種制御処理を行うものであり、システムメモリ４２は、システム制御部４１が実行する制御処理プログラム、および、処理プログラムを実行するときに必要な各種データなどを記憶するとともに、システム制御部４１のワークエリアを構成するものであり、パラメータメモリ４３は、このネットワークファクシミリ装置ＦＸに固有な各種の情報を記憶するためのものであり、時計回路４４は、現在時刻情報を出力するものである。
【００３７】
スキャナ４５は、所定の解像度で原稿画像を読み取るためのものであり、プロッタ４６は、所定の解像度で画像を記録出力するためのものであり、操作表示部７は、このネットワークファクシミリ装置ＦＸを操作するためのもので、各種の操作キー、および、各種の表示器からなる。
【００３８】
符号化復号化部４８は、画信号を符号化圧縮するとともに、符号化圧縮されている画情報を元の画信号に復号化するためのものであり、画像蓄積装置４９は、符号化圧縮された状態の画情報を多数記憶するためのものである。
【００３９】
グループ３ファクシミリモデム５０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００４０】
網制御装置５１は、このネットワークファクシミリ装置ＦＸをアナログ公衆回線網ＰＳＴＮに接続するためのものであり、自動発着信機能を備えている。
【００４１】
ローカルエリアネットワークインターフェース回路５２は、このネットワークファクシミリ装置ＦＸをローカルエリアネットワークＬＡＮに接続するためのものであり、ローカルエリアネットワーク伝送制御部５３は、ローカルエリアネットワークＬＡＮを介して、他のデータ端末装置との間で種々のデータをやりとりするための各種所定のプロトコルスイートの通信制御処理を実行するためのものである。
【００４２】
これらの、システム制御部４１、システムメモリ４２、パラメータメモリ４３、時計回路４４、スキャナ４５、プロッタ４６、操作表示部４７、符号化復号化部４８、画像蓄積装置４９、グループ３ファクシミリモデム５０、網制御装置５１、および、ローカルエリアネットワーク伝送制御部５３は、内部バス５４に接続されており、これらの各要素間でのデータのやりとりは、主としてこの内部バス５４を介して行われている。
【００４３】
また、網制御装置５１とグループ３ファクシミリモデム５０との間のデータのやりとりは、直接行なわれている。
【００４４】
ここで、情報提供サーバ装置ＳＶには、登録ユーザについて、図５（ａ）に示したようなユーザ管理情報が保存されている。このユーザ管理情報は、おのおのの登録ユーザについて１つが形成されるものであり、磁気ディスク装置９に保存される。
【００４５】
ユーザ管理情報は、それぞれのユーザを識別するためのユーザ名、ユーザ認証に用いられるパスワード、および、当該ユーザが磁気ディスク装置９に占有する文書フォルダの名称をあらわす文書フォルダ名からなる。
【００４６】
ここで、ファクシミリ画情報を保存する場合の保存形式（画像フォーマット）としては、ＴＩＦＦ（電子メールで運ばれるファクシミリ画情報のオリジナルファイル形式；ＩＴＵ−Ｔ標準Ｔ．３７参照）等を適用することができる。
【００４７】
また、情報提供サーバ装置ＳＶの磁気ディスク装置９には、図５（ｂ）に示すように、ユーザ毎の文書保存領域が設けられる。この場合、各ユーザについて、１つのユーザフォルダが設定される。また、おのおののユーザフォルダ名が、対応するユーザのユーザ管理情報の文書フォルダ名に登録される。
【００４８】
図６〜図８は、移動体通信端末装置ＰＤＡのユーザが、受付サーバ装置ＭＩＰを介し、情報提供サーバ装置ＳＶに対して、受信文書の転送等の処理を行う際の手順の一例を示している。また、図９，１０は、その際に移動体通信端末装置ＰＤＡに表示される各種画面の一例を示している。
【００４９】
まず、移動体通信端末装置ＰＤＡのユーザは、接続画面（図９（ａ）参照）を表示し、受付サーバ装置ＭＩＰのＵＲＬを指定して、画面上の「接続ボタン」を操作する。これにより、移動体通信端末装置ＰＤＡより受付サーバ装置ＭＩＰに対して、接続要求が発行され、受付サーバ装置ＭＩＰは、移動体通信端末装置ＰＤＡに対して、初期画面の情報を応答する。それにより、移動体通信端末装置ＰＤＡの画面には、初期画面（図９（ｂ）参照）が表示される。
【００５０】
移動体通信端末装置ＰＤＡのユーザは、初期画面上で、ユーザ登録している情報提供サーバ装置ＳＶのＵＲＬを指定し、「接続ボタン」を操作する。それにより、移動体通信端末装置ＰＤＡより受付サーバ装置ＭＩＰに対して、接続要求がが発行され、受付サーバ装置ＭＩＰは、移動体通信端末装置ＰＤＡに対して、認証画面の情報を応答する。それにより、移動体通信端末装置ＰＤＡの画面には、初期画面（図９（ｃ）参照）が表示される。
【００５１】
移動体通信端末装置ＰＤＡのユーザは、認証画面に設けられているユーザー名と、パスワードの入力フィールドに、それぞれ自分のユーザ名と登録しているパスワードを操作入力し、「ログインボタン」を操作する。それにより、移動体通信端末装置ＰＤＡより受付サーバ装置ＭＩＰに対して、ユーザ名とパスワードが送信される。
【００５２】
それによって、受付サーバ装置ＭＩＰは、指定された情報提供サーバ装置ＳＶに対して、コマンドＯｐｅｎＳｅｓｓｉｏｎを送信する。このとき、コマンドＯｐｅｎＳｅｓｓｉｏｎには、移動体通信端末装置ＰＤＡより受信したユーザ名とパスワードを含める。
【００５３】
情報提供サーバ装置ＳＶは、コマンドＯｐｅｎＳｅｓｓｉｏｎを受信すると、受付サーバ装置ＭＩＰとの間でセッションを開設するとともに、受信したユーザ名とパスワードを用いて、所定の認証動作を行う。この認証動作では、受信したユーザ名が登録されているユーザ管理情報を探し、該当するユーザ名が見つからなかった場合には、認証失敗と判定する。また、該当するユーザ名が見つかった場合、当該ユーザ管理情報よりパスワードを読み出し、受信したパスワードと比較する。この比較で不一致が判明した場合には、認証失敗と判定する。また、この比較で読み出したパスワードと受信したパスワードの一致が確認された場合には、認証ＯＫと判定する。そして、認証ＯＫと判定された場合には、受付サーバ装置ＭＩＰに対して、レスポンスＯｐｅｎＳｅｓｓｉｏｎＲｅｓｕｌｔを応答する。このレスポンスＯｐｅｎＳｅｓｓｉｏｎＲｅｓｕｌｔには、認証の結果と、開設したセッションを識別するためのセッションＩＤが含められる。また、これ以降、受付サーバ装置ＭＩＰと情報提供サーバ装置ＳＶとの間の通信は、このセッションＩＤが適用されて行われる。
【００５４】
受付サーバ装置ＭＩＰは、レスポンスＯｐｅｎＳｅｓｓｉｏｎＲｅｓｕｌｔを受信し、認証結果がＯＫである旨を確認すると、コマンドＧｅｔＬｉｓｔを情報提供サーバ装置ＳＶへ送信する。このコマンドＧｅｔＬｉｓｔには、セッションＩＤと、フォルダ名（最初のフォルダ名；固定値）が含められる。
【００５５】
情報提供サーバ装置ＳＶは、コマンドＧｅｔＬｉｓｔを受信すると、指定されたフォルダ名に保存されているフォルダとファイルの名称リスト（ファイルリスト）を取得し、レスポンスＧｅｔＬｉｓｔＲｅｓｕｌｔを受付サーバ装置ＭＩＰへ応答する。このレスポンスＧｅｔＬｉｓｔＲｅｓｕｌｔには、取得したファイルリストが含められる。
【００５６】
レスポンスＧｅｔＬｉｓｔＲｅｓｕｌｔを受信した受付サーバ装置ＭＩＰは、受信したファイルリストを一覧表示する所定形式のデフォルトリスト画面を作成して、移動体通信端末装置ＰＤＡへ送信する。それにより、移動体通信端末装置ＰＤＡの画面には、デフォルトリスト画面（図９（ｄ）参照）が表示される。ここで、このデフォルトリスト画面を含むリスト画面では、名称の先頭に「■」が表示されている項目はフォルダ名であり、また、名称の先頭に「□」が表示されている項目はファイル名である。ファイル名とフォルダ名の識別は、受付サーバ装置ＭＩＰが行う。
【００５７】
移動体通信端末装置ＰＤＡのユーザは、デフォルトリスト画面を参照して所望するファイル（この場合は、フォルダ）を指定し、「選択ボタン」を操作する。それにより、移動体通信端末装置ＰＤＡは、受付サーバ装置ＭＩＰに対して、選択されたフォルダ名を通知する。
【００５８】
それにより、受付サーバ装置ＭＩＰは、コマンドＧｅｔＬｉｓｔを情報提供サーバ装置ＳＶへ送信する。このコマンドＧｅｔＬｉｓｔには、セッションＩＤと、移動体通信端末装置ＰＤＡより指定されたフォルダ名が含められる。
【００５９】
情報提供サーバ装置ＳＶは、コマンドＧｅｔＬｉｓｔを受信すると、指定されたフォルダ名に保存されているフォルダとファイルの名称リスト（ファイルリスト）を取得し、レスポンスＧｅｔＬｉｓｔＲｅｓｕｌｔを受付サーバ装置ＭＩＰへ応答する。このレスポンスＧｅｔＬｉｓｔＲｅｓｕｌｔには、取得したファイルリストが含められる。
【００６０】
レスポンスＧｅｔＬｉｓｔＲｅｓｕｌｔを受信した受付サーバ装置ＭＩＰは、受信したファイルリストを一覧表示する所定形式のリスト画面を作成して、移動体通信端末装置ＰＤＡへ送信する。それにより、移動体通信端末装置ＰＤＡの画面には、リスト画面（リスト画面１；図９（ｅ）参照）が表示される。
【００６１】
このリスト画面を見たユーザは、内容を確認するフォルダのフォルダ名または所望する文書（ファイル名）が表示されている場合には、それを選択し、「選択ボタン」を操作する。ここで、フォルダ名が選択された状態で「選択ボタン」が操作された場合、移動体通信端末装置ＰＤＡは、受付サーバ装置ＭＩＰに対して、選択されたフォルダ名を通知する。
【００６２】
それにより、受付サーバ装置ＭＩＰは、コマンドＧｅｔＬｉｓｔを情報提供サーバ装置ＳＶへ送信する。このコマンドＧｅｔＬｉｓｔには、セッションＩＤと、移動体通信端末装置ＰＤＡより指定されたフォルダ名が含められる。
【００６３】
情報提供サーバ装置ＳＶは、コマンドＧｅｔＬｉｓｔを受信すると、指定されたフォルダ名（新しいフォルダ名）に保存されているフォルダ（ある場合）とファイルの名称リスト（ファイルリスト）を取得し、レスポンスＧｅｔＬｉｓｔＲｅｓｕｌｔを受付サーバ装置ＭＩＰへ応答する。このレスポンスＧｅｔＬｉｓｔＲｅｓｕｌｔには、取得したファイルリストが含められる。
【００６４】
レスポンスＧｅｔＬｉｓｔＲｅｓｕｌｔを受信した受付サーバ装置ＭＩＰは、受信したファイルリストを一覧表示する所定形式のリスト画面を作成して、移動体通信端末装置ＰＤＡへ送信する。それにより、移動体通信端末装置ＰＤＡの画面には、リスト画面（リスト画面２；図９（ｆ）参照）が表示される。
【００６５】
移動体通信端末装置ＰＤＡのユーザは、リスト画面２を確認して、所望するファイルを見つけた場合には、それを選択し、「選択ボタン」を操作する。それにより、移動体通信端末装置ＰＤＡは、受付サーバ装置ＭＩＰに対して、選択された文書名（ファイル名）を送信する。
【００６６】
これにより、受付サーバ装置ＭＩＰは、ファクシミリ番号入力画面を移動体通信端末装置ＰＤＡへ送信する。それにより、移動体通信端末装置ＰＤＡの画面には、ファクシミリ番号入力画面（図１０（ａ）参照）が表示される。
【００６７】
移動体通信端末装置ＰＤＡのユーザは、ファクシミリ番号入力画面に設けられているファクシミリ番号（ＦＡＸ番号）の入力フィールドに、選択した文書を送信してほしい宛先、この場合は、グループ３ファクシミリ装置ＧＸの電話番号（ファクシミリ番号）を入力し、「ＯＫボタン」を操作する。
【００６８】
それにより、移動体通信端末装置ＰＤＡは、受付サーバ装置ＭＩＰに対して、ファクシミリ番号と、送信属性（この場合は、直接送信）を送信する。
【００６９】
これにより、受付サーバ装置ＭＩＰは、ファクシミリ番号と指定された文書名の表示を含む入力確認画面を作成して、移動体通信端末装置ＰＤＡへ送信する。それにより、移動体通信端末装置ＰＤＡの画面には、入力確認画面（図１０（ｂ）参照）が表示される。
【００７０】
移動体通信端末装置ＰＤＡのユーザは、入力確認画面を見て、内容を確認し、間違いがないと判断した場合には、「送信ボタン」を操作する。それにより、移動体通信端末装置ＰＤＡは、受付サーバ装置ＭＩＰに対して、ファクシミリ番号と、送信属性（この場合は、直接送信）を送信する。
【００７１】
これにより、受付サーバ装置ＭＩＰは、コマンドＳｅｎｄＦａｘＲｅｑｕｅｓｔを、情報提供サーバ装置ＳＶへ送信する。このコマンドＳｅｎｄＦａｘＲｅｑｕｅｓｔには、セッションＩＤ、指定されたファイル名、ファクシミリ番号、および、送信属性を含める。
【００７２】
このコマンドＳｅｎｄＦａｘＲｅｑｕｅｓｔを受信した情報提供サーバ装置ＳＶは、所定のファクシミリアプリケーションを起動して、ネットファクシミリ装置ＦＸを用い、受信したファクシミリ番号へ発呼させ、指定されたファイル名の画情報を、宛先へ送信する。そして、その送信を終了すると、レスポンスＳｅｎｄＦａｘＲｅｑｕｅｓｔＲｅｓｕｌｔを受付サーバ装置ＭＩＰへ応答する。このレスポンスＳｅｎｄＦａｘＲｅｑｕｅｓｔＲｅｓｕｌｔには、送信結果と発生したエラーの詳細が含まれる。
【００７３】
受付サーバ装置ＭＩＰは、レスポンスＳｅｎｄＦａｘＲｅｑｕｅｓｔＲｅｓｕｌｔを受信すると、受付結果を移動体通信端末装置ＰＤＡへ送信する。
【００７４】
また、リスト画面２（図９（ｆ）参照）の表示から、ユーザがいずれかのファイル名に隣接（下側）して表示されている「［詳細］ボタン」を操作すると、移動体通信端末装置ＰＤＡから受付サーバ装置ＭＩＰに、その操作された「［詳細］ボタン」に対応したファイル名、および、詳細ボタン操作が通知される。
【００７５】
それにより、受付サーバ装置ＭＩＰは、選択されたファイル名の詳細属性を表示する詳細表示画面（図１０（ｄ）参照）を、移動体通信端末装置ＰＤＡへ送信し、これによって、移動体通信端末装置ＰＤＡの画面には、ユーザが選択したファイルについて詳細な内容が表示される。また、このとき受付サーバ装置ＭＩＰから移動体通信端末装置ＰＤＡには、選択されたファイルに含まれるページ数に従った表示画像ページのファイル名（例えば、２ページの場合、１．ｊｐｇ，２．ｊｐｇ等）が通知される。
【００７６】
そして、この状態で、ユーザが「画像表示ボタン」を操作すると、移動体通信端末装置ＰＤＡより受付サーバ装置ＭＩＰには、１ページ目の表示画像ページのファイル名（文書名）が通知される（図８参照）。これにより、受付サーバ装置ＭＩＰは、選択されたファイル名（文書名）の画像を表示するフレーム（表示枠）情報を画像表示画面（図１０（ｅ）参照）として移動体通信端末装置ＰＤＡへ送信する。また、この画像表示画面のフレーム情報には、選択されたファイル名を情報提供サーバ装置ＳＶより取得する際に用いるＵＲＬが含まれる。
【００７７】
それにより、移動体通信端末装置ＰＤＡは、受信したフレーム情報に含まれる１ページ目の画像データのＵＲＬへアクセスするＨＴＴＰリクエストを情報提供サーバ装置ＳＶへ発行する。
【００７８】
これにより、情報提供サーバ装置ＳＶは、指定されたファイル名の画像データを読み出して、受信したＨＴＴＰリクエストに対応するレスポンスとして、当該読み出した画像データを移動体通信端末装置ＰＤＡへ送信する。
【００７９】
その結果、画像表示画面の選択画像の表示枠には、１ページ目の画像が表示される。このとき、移動体通信端末装置ＰＤＡでは、表示枠に画像が一杯に配置されるように、適宜に縮小表示することができる。
【００８０】
また、ユーザが画像表示画面の「次ページボタン」を操作すると、移動体通信端末装置ＰＤＡより受付サーバ装置ＭＩＰには、２ページ目の表示画像ページのファイル名（文書名）が通知される（図８参照）。これにより、受付サーバ装置ＭＩＰは、選択されたファイル名（文書名）の画像を表示するフレーム（表示枠）情報を画像表示画面（図１０（ｅ）参照）として移動体通信端末装置ＰＤＡへ送信する。また、この画像表示画面のフレーム情報には、選択されたファイル名を情報提供サーバ装置ＳＶより取得する際に用いるＵＲＬが含まれる。
【００８１】
それにより、移動体通信端末装置ＰＤＡは、受信したフレーム情報に含まれる２ページ目の画像データのＵＲＬへアクセスするＨＴＴＰリクエストを情報提供サーバ装置ＳＶへ発行する。
【００８２】
これにより、情報提供サーバ装置ＳＶは、指定されたファイル名の画像データを読み出して、受信したＨＴＴＰリクエストに対応するレスポンスとして、当該読み出した画像データを移動体通信端末装置ＰＤＡへ送信する。
【００８３】
その結果、画像表示画面の選択画像の表示枠には、２ページ目の画像が表示される。このとき、移動体通信端末装置ＰＤＡは、表示枠に画像が一杯に配置されるように、適宜に縮小表示することができる。
【００８４】
なお、詳細表示画面または画像表示画面から、「送信ボタン」が操作された場合には、そのときに選択されている画情報を送信する状態に移行する。
【００８５】
また、詳細表示画面から「戻るボタン」が操作された場合には、リスト画面２の表示状態に状態が戻って画面表示も戻り、画像表示画面から「戻るボタン」が操作された場合には、詳細表示画面に状態が戻って画面表示も戻る。
【００８６】
図１１は、情報提供サーバ装置ＳＶが、電子メールを受信したときに行う処理の一例を示している。
【００８７】
電子メールを受信すると（処理１０１）、宛先メールアドレスを調べてユーザを認識し（処理１０２）、それが登録ユーザであるかどうかを判断する（判断１０３）。判断１０３の結果がＮＯになるときには、受信した電子メールを破棄して（処理１０４）、このときの処理を終了する。
【００８８】
また、判断１０３の結果がＹＥＳになるときには、当該ユーザに割り当てられている登録フォルダへ、ファイル名を付与して、受信した電子メールに添付されていた画像ファイルを保存する（処理１０５）。
【００８９】
このようにして、本実施例では、登録ユーザ宛の電子メールで画情報が運ばれている場合、その画情報ファイルの画像形式を、当該ユーザが指定した形式へ変換した後に保存しているので、移動体通信端末装置ＰＤＡのユーザは、自分宛に受信したファクシミリ画情報を、移動体通信端末装置ＰＤＡの画面で表示させることができ、非常に便利である。
【００９０】
図１２〜図１４は、受付サーバ装置ＭＩＰの処理の一例を示している。
【００９１】
まず、移動体通信端末装置ＰＤＡより接続要求を受信すると（処理２０１）、受付サーバ装置ＭＩＰは、移動体通信端末装置ＰＤＡに対して初期画面の情報を応答する（処理２０２）。
【００９２】
次に、同じ移動体通信端末装置ＰＤＡより接続要求を受信すると（処理２０３）、受付サーバ装置ＭＩＰは、移動体通信端末装置ＰＤＡに対して認証画面の情報を応答する（処理２０４）。
【００９３】
そして、同じ移動体通信端末装置ＰＤＡよりユーザ名とパスワードを受信すると（処理２０５）、受付サーバ装置ＭＩＰは、指定された情報提供サーバ装置ＳＶに対して、移動体通信端末装置ＰＤＡより受信したユーザ名とパスワードを含めたコマンドＯｐｅｎＳｅｓｓｉｏｎを送信する（処理２０６）。
【００９４】
次いで、受付サーバ装置ＭＩＰは、情報提供サーバ装置ＳＶよりレスポンスＯｐｅｎＳｅｓｓｉｏｎＲｅｓｕｌｔを受信し（処理２０７）、認証結果がＯＫである旨を確認すると、セッションＩＤとフォルダ名を含めたコマンドＧｅｔＬｉｓｔを情報提供サーバ装置ＳＶへ送信する（処理２０８）。
【００９５】
そして、情報提供サーバ装置ＳＶより、レスポンスＧｅｔＬｉｓｔＲｅｓｕｌｔを受信すると（処理２０９）、受信したファイルリストを一覧表示する所定形式のデフォルトリスト画面を作成して、移動体通信端末装置ＰＤＡへ送信する（処理２１０）。
【００９６】
次に、移動体通信端末装置ＰＤＡより情報を受信すると（処理２１１）、その内容がフォルダ名であるかどうかを調べる（判断２１２）。判断２１２の結果がＹＥＳになるときには、セッションＩＤとフォルダ名を含めたコマンドＧｅｔＬｉｓｔを情報提供サーバ装置ＳＶへ送信する（処理２１３）。
【００９７】
そして、情報提供サーバ装置ＳＶより、レスポンスＧｅｔＬｉｓｔＲｅｓｕｌｔを受信すると（処理２１４）、受信したファイルリストを一覧表示する所定形式のリスト画面を作成して、移動体通信端末装置ＰＤＡへ送信し（処理２１５）、処理２１１へ戻り、移動体通信端末装置ＰＤＡより情報を受信する。
【００９８】
また、判断２１２の結果がＮＯになるときには、移動体通信端末装置ＰＤＡよりファイル名（文書名）を受信したかどうかを調べる（判断２１６）。
【００９９】
判断２１６の結果がＹＥＳになるときには、受付サーバ装置ＭＩＰは、ファクシミリ番号入力画面を移動体通信端末装置ＰＤＡへ送信し（処理２１７）、移動体通信端末装置ＰＤＡよりファクシミリ番号と送信属性を受信する（処理２１８）。
【０１００】
次いで、受付サーバ装置ＭＩＰは、ファクシミリ番号と指定された文書名の表示を含む入力確認画面を作成して、移動体通信端末装置ＰＤＡへ送信し（処理２１９）、移動体通信端末装置ＰＤＡよりファクシミリ番号と送信属性を受信すると（処理２２０）、セッションＩＤ、指定されたファイル名、ファクシミリ番号、および、送信属性を含めたコマンドＳｅｎｄＦａｘＲｅｑｕｅｓｔを、情報提供サーバ装置ＳＶへ送信する（処理２２１）。
【０１０１】
そして、その指定した送信が終了し、情報提供サーバ装置ＳＶよりレスポンスＳｅｎｄＦａｘＲｅｑｕｅｓｔＲｅｓｕｌｔを受信すると（処理２２２）、受付サーバ装置ＭＩＰは、受付結果（送信結果）を移動体通信端末装置ＰＤＡへ送信して（処理２２３）、一連の動作を終了する。
【０１０２】
また、判断２１６の結果がＮＯになるときには、移動体通信端末装置ＰＤＡより受信した情報が「詳細表示」であるかどうかを調べる（判断２２５）。判断２２５の結果がＹＥＳになるときには、対応する詳細表示画面の表示情報を移動体通信端末装置ＰＤＡへ応答し（処理２２６）、移動体通信端末装置ＰＤＡより情報を受信する（処理２２７）。
【０１０３】
そして、処理２２７で受信した情報が、画像表示を指令するものであるかどうかを調べ（判断２２８）、判断２２８の結果がＹＥＳになるときには、指定されているファイル名の表示画像を取得するためのＵＲＬを含むＨＴＭＬファイルを移動体通信端末装置ＰＤＡへ応答し（処理２２９）、移動体通信端末装置ＰＤＡより、次の情報を受信する（処理２３０）。
【０１０４】
そして、処理２３０で受信した情報が文書名であるかどうかを調べ（判断２３１）、判断２３１の結果がＹＥＳになるときには、指定されているファイル名の表示画像を取得するためのＵＲＬを含むＨＴＭＬファイルを移動体通信端末装置ＰＤＡへ応答し（処理２３２）、処理２３０へ戻り、移動体通信端末装置ＰＤＡより、次の情報を受信する。
【０１０５】
また、判断２３１の結果がＮＯになるときには、移動体通信端末装置ＰＤＡより受信した情報が、送信を指令するものであるかどうかを調べる（判断２３３）。判断２３３の結果がＹＥＳになるときには、処理２１７へ移行し、送信処理を行う。
【０１０６】
また、判断２３３の結果がＮＯになるときには、処理２２６へ戻り、詳細表示画面を表示する状態へ戻る。
【０１０７】
また、判断２２８の結果がＮＯになるときには、移動体通信端末装置ＰＤＡより受信した情報が、送信を指令するものであるかどうかを調べる（判断２３６）。判断２３６の結果がＹＥＳになるときには、処理２１７へ移行し、送信処理を行う。
【０１０８】
また、判断２３６の結果がＮＯになるときには、リスト画面表示状態へ戻り（処理２３７）、処理２１１へ戻る。
【０１０９】
また、リスト画面２を表示しているときに移動体通信端末装置ＰＤＡより情報を受信し、その受信した情報が詳細表示ではなく判断２２５の結果がＮＯになるときには、その時点でこの処理を終了する。
【０１１０】
さて、本実施例では、例えば、図１０（ａ）で示したファクシミリ番号入力画面において、移動体通信端末装置ＰＤＡのユーザが送信宛先等を指定する場合、移動体通信端末装置ＰＤＡに備えられている電話帳機能を利用して宛先を指定することができる。
【０１１１】
この電話帳機能は、宛先名称と、当該宛先へ発呼する際の宛先情報（電話番号やファクシミリ番号）を多数登録しておき、ユーザが、宛先名称を見ながら目的の項目を選択すると、対応する宛先情報が、当該通信の宛先として選択されるという機能である。
【０１１２】
この電話帳機能を利用してファクシミリ番号を入力する際に、移動体通信端末装置ＰＤＡが行う処理の一例を図１５に示す。
【０１１３】
ユーザが電話帳機能を利用してファクシミリ番号を入力する旨を指定した場合、その電話帳機能を利用してユーザに宛先を入力させ（処理３０１，判断３０２のＮＯループ）、宛先が決定すると（判断３０２の結果がＹＥＳ）、その選択された宛先情報を、受付サーバ装置ＭＩＰへ送信する（処理３０３）。
【０１１４】
このようにして、本実施例では、移動体通信端末装置ＰＤＡの電話帳機能を利用してファクシミリ番号を入力するようにしているので、移動体通信端末装置ＰＤＡのユーザが送信宛先等を入力する場合の操作が非常に円滑になる。
【０１１５】
図１６は、移動体通信端末装置ＰＤＡにおいて、電話帳機能を利用してファクシミリ番号を入力する際の処理の他の例を示している。
【０１１６】
ユーザが電話帳機能を利用してファクシミリ番号を入力する旨を指定した場合、その電話帳機能を利用してユーザに宛先を入力させ（処理４０１，判断４０２のＮＯループ）、宛先が決定すると（判断４０２の結果がＹＥＳ）、その選択された宛先情報を、選択された宛先名称とともに、受付サーバ装置ＭＩＰへ送信する（処理４０３）。
【０１１７】
また、移動体通信端末装置ＰＤＡから、宛先の宛先情報とともに宛先名称を受信すると、受付サーバ装置ＭＩＰは、情報提供サーバ装置ＳＶに、宛先情報と宛先名称を通知する。
【０１１８】
これにより、情報提供サーバ装置ＳＶは、図１７に示すように、送信画情報の所定領域に、宛名差込の画像ＳＮを合成し、合成後の画情報を送信する。ここで、画像ＳＮには、宛先名称の内容と、発信者として、ユーザの登録名（ユーザ名称）を配置している。
【０１１９】
図１８は、情報提供サーバ装置ＳＶが、画情報送信時に行う処理の他の例を示している。
【０１２０】
指定されたファイル名と、宛先情報と、宛先名称を保存し（処理５０１）、送信画情報を取得する（処理５０２）。このとき、送信モードとして、宛名差込が指定されているかどうかを調べ（判断５０３）、判断５０３の結果がＹＥＳになるときには、宛名差込の画像を作成し、その画像を、送信画増の所定領域に合成して、送信画情報を編集し（処理５０４）、編集後の画情報を、ネットワークファクシミリ装置ＦＸのファクシミリ通信機能を利用して、宛先へ送信する（処理５０５）。
【０１２１】
また、判断５０３の結果がＮＯになる場合には、所定の文面（図示略）に宛名を配置した送付状の画情報を１ページ目の画情報として追加し（処理５０６）、処理５０５へ進み、追加した画情報を含む送信画情報を、ネットワークファクシミリ装置ＦＸのファクシミリ通信機能を利用して、宛先へ送信する。
【０１２２】
このようにして、本実施例では、宛名差込モードがセットされている場合には、１ページ目の画像に宛名差込画像を合成したものを送信するとともに、宛名差込モードがセットされていない場合には、宛名を配置した文面の送付状を作成し、本文の１ページ目に挿入して送信するようにしているので、受信側ユーザは、受信文書の宛先等を明確に判断することができることとなる。
【０１２３】
図１９は、情報提供サーバ装置ＳＶが、画情報送信時に行う処理のさらに他の例を示している。
【０１２４】
指定されたファイル名と、宛先情報と、宛先名称を保存し（処理６０１）、送信画情報を取得する（処理６０２）。このとき、送信モードとして、宛名差込が指定されているかどうかを調べ（判断６０３）、判断６０３の結果がＹＥＳになるときには、宛名差込の画像を作成し、その画像を、送信画増の所定領域に合成して、送信画情報を編集し（処理６０４）、編集後の画情報を、ネットワークファクシミリ装置ＦＸのファクシミリ通信機能、または、電子メール通信機能を利用して、宛先へ送信する（処理６０５）。なお、処理６０５では、宛先情報がファクシミリ番号の場合には、ファクシミリ通信機能を用いて画情報を送信し、宛先情報が電子メールアドレスの場合には、電子メール通信機能を用いて画情報を送信する。
【０１２５】
また、判断６０３の結果がＮＯになる場合には、所定の文面（図示略）に宛名を配置した送付状の画情報を１ページ目の画情報として追加し（処理６０６）、処理６０５へ進み、追加した画情報を含む送信画情報を宛先へ送信する。
【０１２６】
次いで、このようにして画情報を送信すると、所定の通信結果履歴情報を作成して保存し（処理６０６）、例えば、図２０に示したような送信結果レポートを作成する（処理６０７）。ここで、通信結果履歴情報には、送信宛先として、受信した宛先名称の内容を用いる。また、送信結果レポートには、送信宛先として、受信した宛先名称の情報を配置している。
【０１２７】
ここで、送信結果レポートの送信指定が設定されているかどうかを調べ（判断６０８）、判断６０８の結果がＹＥＳになるときには、送信結果レポートを指定された宛先へファクシミリ通信機能または電子メール通信機能を用いて送信する（処理６１０）。また、判断６１０の結果がＮＯになるときには、送信結果レポートを、ネットワークファクシミリ装置ＦＸより記録出力させる（処理６１０）。
【０１２８】
このようにして、本実施例では、通信結果履歴情報には、送信宛先として、受信した宛先名称の内容を用いているので、通信結果履歴情報を参照して種々のレポートを作成したり、表示する際、送信宛先を明確に表示することができ、非常に便利である。また、送信結果レポートには、送信宛先として、受信した宛先名称の情報を配置しているので、電話番号が配置される場合に比べて、送信結果レポートを読んだユーザが、より明確に送信宛先を認識することができる。
【０１２９】
なお、イントラネットＩＮＴＲにおいては、情報提供サーバ装置ＳＶを複数設けることができる。また、情報提供サーバ装置ＳＶと受付サーバ装置ＭＩＰとを統合した装置を設けるようにすることもできる。
【０１３０】
【発明の効果】
以上説明したように、本発明によれば、携帯端末の電話帳機能を利用して宛先情報を入力するようにしているので、携帯端末のユーザが送信宛先等を入力する場合の操作が非常に円滑になるという効果を得る。
【０１３１】
また、宛先情報とともに、宛先名称も文書サーバへ送信するので、宛名差込を利用できるとともに、履歴情報に宛先名称を含めることができ通信結果レポートなどの内容をより充実したものにすることができるという効果も得る。
【図面の簡単な説明】
【図１】本発明の一実施例にかかる情報配信システムの一例を示したブロック図。
【図２】受付サーバ装置ＭＩＰの構成例を示したブロック図。
【図３】情報提供サーバ装置ＳＶの構成例を示したブロック図。
【図４】ネットワークファクシミリ装置ＦＸの構成例を示したブロック図。
【図５】ユーザ管理情報等の一例を示した概略図。
【図６】移動体通信端末装置ＰＤＡのユーザが、受付サーバ装置ＭＩＰを介し、情報提供サーバ装置ＳＶに対して、受信文書の転送等の処理を行う際の手順の一例を示したタイムチャート。
【図７】移動体通信端末装置ＰＤＡのユーザが、受付サーバ装置ＭＩＰを介し、情報提供サーバ装置ＳＶに対して、受信文書の転送等の処理を行う際の手順の一例を示したタイムチャート（図６の続き）。
【図８】移動体通信端末装置ＰＤＡのユーザが、受付サーバ装置ＭＩＰを介し、情報提供サーバ装置ＳＶに対して、受信文書の転送等の処理を行う際の手順の一例を示したタイムチャート（図７の続き）。
【図９】移動体通信端末装置ＰＤＡに表示される各種画面の一例を示した概略図。
【図１０】移動体通信端末装置ＰＤＡに表示される各種画面の一例を示した概略図（図９の続き）。
【図１１】情報提供サーバ装置ＳＶが、電子メールを受信したときに行う処理の一例を示したフローチャート。
【図１２】受付サーバ装置ＭＩＰの処理の一例を示したフローチャート。
【図１３】受付サーバ装置ＭＩＰの処理の一例を示したフローチャート（図１３の続き）。
【図１４】受付サーバ装置ＭＩＰの処理の一例を示したフローチャート（図１４の続き）。
【図１５】移動体通信端末装置ＰＤＡにおいて、電話帳機能を利用してファクシミリ番号を入力する際の処理の一例を示したフローチャート。
【図１６】移動体通信端末装置ＰＤＡにおいて、電話帳機能を利用してファクシミリ番号を入力する際の処理の他の例を示したフローチャート。
【図１７】宛名差込の画像ＳＮを合成した送信画情報の一例を示した概略図。
【図１８】情報提供サーバ装置ＳＶが、画情報送信時に行う処理の他の例を示したフローチャート。
【図１９】情報提供サーバ装置ＳＶが、画情報送信時に行う処理のさらに他の例を示したフローチャート。
【図２０】送信結果レポートの一例を示した概略図。
【符号の説明】
ＰＤＡ  移動体通信端末装置
ＳＶ  情報提供サーバ装置
ＭＩＰ  受付サーバ装置
【図１】
2004236031.tif 000003
【図２】
2004236031.tif 000004
【図３】
2004236031.tif 000005
【図４】
2004236031.tif 000006
【図５】
2004236031.tif 000007
【図６】
2004236031.tif 000008
【図７】
2004236031.tif 000009
【図８】
2004236031.tif 000010
【図９】
2004236031.tif 000011
【図１０】
2004236031.tif 000012
【図１１】
2004236031.tif 000013
【図１２】
2004236031.tif 000014
【図１３】
2004236031.tif 000015
【図１４】
2004236031.tif 000016
【図１５】
2004236031.tif 000017
【図１６】
2004236031.tif 000018
【図１７】
2004236031.tif 000019
【図１８】
2004236031.tif 000020
【図１９】
2004236031.tif 000021
【図２０】
2004236031.tif 000022